(57)【要約】【課題】電極用のキャップの形状に拠らず、電極用のキャップを保持することが可能な検査装置、弾性部材、及び入力箱を提供することを目的とする。【解決手段】針電極７と接続し、生体電位を検査する検査装置であって、検査装置は、針電極７に取り付けられるキャップ８を保持するための筒状の弾性部材６を備えている。検査装置には、弾性部材６を挿入可能な挿入部４５が設けられており、弾性部材６は異なる長さの内径を有している。弾性部材６には、入口側の内径よりも小さい縮径部６７が形成されている。【選択図】図５
2019187697.tif 000002
【特許請求の範囲】
【請求項１】
電極と接続され、生体電位を検査する検査装置であって、
前記検査装置は、前記電極に取り付けられるキャップを保持するための筒状の弾性部材を備え、
前記検査装置には、前記弾性部材を挿入可能な挿入部が設けられており、
前記弾性部材は異なる長さの内径を有しており、前記弾性部材には、入口側の内径よりも小さい縮径部が形成されている、検査装置。
【請求項２】
前記挿入部は貫通孔である、請求項１に記載の検査装置。
【請求項３】
前記縮径部は、前記弾性部材の周方向の全てがテーパー面である、請求項１又は２に記載の検査装置。
【請求項４】
前記弾性部材は、前記挿入部に挿入された状態で、前記挿入部に対して係止可能な係止部が設けられている、請求項１から３のいずれか一項に記載の検査装置。
【請求項５】
前記弾性部材の前記入口には、前記係止部として、径方向外側に延びる第一縁部が形成されている、請求項４に記載の検査装置。
【請求項６】
前記挿入部の前記入口側端部には、前記第一縁部を載置可能な載置部が形成されている、請求項５に記載の検査装置。
【請求項７】
前記弾性部材における入口とは反対の端部には、前記係止部として、径方向外側に延びる第二縁部が形成されている、請求項４に記載の検査装置。
【請求項８】
前記弾性部材の前記入口及び前記入口とは反対の端部の少なくとも一つには、スリットが形成されている、請求項１から７のいずれか一項に記載の検査装置。
【請求項９】
検査装置に用いられる電極を保護するキャップを保持するための筒状の弾性部材であって、
前記弾性部材は異なる長さの内径を有しており、前記弾性部材には、前記弾性部材の入口側の内径よりも小さい縮径部が形成されている、弾性部材。
【請求項１０】
前記弾性部材の前記入口には、径方向外側に延びる第一縁部が形成されている、請求項９に記載の弾性部材。
【請求項１１】
前記弾性部材における前記入口とは反対の端部には、径方向外側に延びる第二縁部が形成されている、請求項９又は１０に記載の弾性部材。
【請求項１２】
前記縮径部は、前記弾性部材の周方向の全てがテーパー面である、請求項９から１１のいずれか一項に記載の弾性部材。
【請求項１３】
検査装置に用いられる電極が接続される入力箱であって、
前記電極に取り付けられるキャップを保持するための筒状の弾性部材を備え、
前記入力箱には、前記弾性部材を挿入可能な挿入部が設けられており、
前記弾性部材は異なる長さの内径を有しており、前記弾性部材には、前記弾性部材の入口側の内径よりも小さい縮径部が形成されている、入力箱。
【発明の詳細な説明】
【技術分野】
【０００１】
本発明は、検査装置、弾性部材、及び入力箱に関する。
【背景技術】
【０００２】
針電極を用いて被験者の生体電位を取得する場合、医療従事者は、検査の合間などに、自分の手で針電極を保持していなければならない。このため、検査作業の際、医療従事者の片手が塞がってしまうという不便さがあった。
【０００３】
また、針電極を使用した後、針部分にキャップを取り付けようとする際に、当該針に付着した血液がキャップにつかないように注意しなければならない。このため、針電極を保持するためのグローブが設けられた電極接続箱が提供されている（非特許文献１）。
【先行技術文献】
【非特許文献】
【０００４】
【非特許文献１】“筋電図・誘発電位検査装置 MEB-2300シリーズ ニューロパック X1”、インターネット〈http://www.nihonkohden.co.jp/iryo/documents/pdf/H901528E.pdf〉
【発明の概要】
【発明が解決しようとする課題】
【０００５】
しかし、キャップの形は様々である。また、グローブは接続箱の筐体と同質の硬質樹脂等で形成されている。そのため、グローブの持つ弾性力によって変形できる範囲は小さい。針電極用のキャップの形状がグローブの口の形状と異なる場合、キャップを付けた針電極をグローブに保持させておくことができないので、医療従事者は、自らの手で針電極を保持しながら検査を行っている。この点において、改善の余地があった。
【０００６】
本発明は、電極用のキャップの形状に拠らず、電極用のキャップを保持することが可能な検査装置、弾性部材、及び入力箱を提供することを目的とする。
【課題を解決するための手段】
【０００７】
本発明の一態様に係る検査装置は、
電極と接続され、生体電位を検査する検査装置であって、
前記検査装置は、前記電極に取り付けられるキャップを保持するための筒状の弾性部材を備え、
前記検査装置には、前記弾性部材を挿入可能な挿入部が設けられており、
前記弾性部材は異なる長さの内径を有しており、前記弾性部材には、入口側の内径よりも小さい縮径部が形成されている。
【０００８】
上記構成に係る検査装置においては、電極に取り付けられるキャップを保持可能な弾性部材を挿入可能な挿入部が設けられている。弾性部材には、入口側の内径よりも小さい縮径部が形成されているため、当該キャップを保持することができる。
このように、上記構成によれば、電極用のキャップの形状に拠らず、電極用のキャップを保持することが可能な検査装置を提供することができる。
【０００９】
また、本発明の一態様に係る弾性部材は、
検査装置に用いられる電極を保護するキャップを保持するための筒状の弾性部材であって、
前記弾性部材は異なる長さの内径を有しており、前記弾性部材には、前記弾性部材の入口側の内径よりも小さい縮径部が形成されている。
【００１０】
上記構成によれば、筒状の弾性部材には、その入口側の内径よりも小さい縮径部が形成されているため、当該キャップを保持することができる。
このように、上記構成によれば、電極用のキャップの形状に拠らず、電極用のキャップを保持することが可能な弾性部材を提供することができる。
【００１１】
また、本発明の一態様に係る入力箱は、
検査装置に用いられる電極が接続される入力箱であって、
前記電極に取り付けられるキャップを保持するための筒状の弾性部材を備え、
前記入力箱には、前記弾性部材を挿入可能な挿入部が設けられており、
前記弾性部材は異なる長さの内径を有しており、前記弾性部材には、前記弾性部材の入口側の内径よりも小さい縮径部が形成されている、入力箱。
【００１２】
上記構成に係る入力箱においては、電極に取り付けられるキャップを保持可能な弾性部材を挿入可能な挿入部が設けられている。弾性部材には、弾性部材の入口側の内径よりも小さい縮径部が形成されているため、当該キャップを保持することができる。
このように、上記構成によれば、電極用のキャップの形状に拠らず、電極用のキャップを保持することが可能な入力箱を提供することができる。
【発明の効果】
【００１３】
本発明によれば、電極用のキャップの形状に拠らず、電極用のキャップを保持することが可能な検査装置、弾性部材、及び入力箱を提供することができる。
【図面の簡単な説明】
【００１４】
【図１】本発明の一実施形態に係る検査装置を示す図である。
【図２】本発明の一実施形態に係る入力箱を示す斜視図である。
【図３】本発明の一実施形態に係る弾性部材を示す側面図である。
【図４】図２におけるＡ−Ａ’断面図である。
【図５】針電極に装着されたキャップを弾性部材が保持している状態における、図２のＡ−Ａ’断面図である。
【発明を実施するための形態】
【００１５】
以下、本発明の実施形態について図面を参照しながら説明する。
【００１６】
また、本実施形態の説明では、説明の便宜上、「左右方向」、「前後方向」、「上下方向」について適宜言及する。これらの方向は、図２に示す入力箱４、図３から図５に示す入力箱４又は弾性部材６について設定された相対的な方向である。ここで、「上下方向」は、「上方向」及び「下方向」を含む方向である。「前後方向」は、「前方向」及び「後方向」を含む方向である。「左右方向」は、「左方向」及び「右方向」を含む方向である。
【００１７】
図１は、本発明の一実施形態に係る検査装置１を示す図である。図１に示すように、検査装置１は、本体部１０と、入力箱４と、接続部５と、を備える。本体部１０は、操作端末２と、表示端末３と、を含む。検査装置１は、例えば、針電極７と接続され、生体電位を検査するための装置である。
【００１８】
操作端末２は、１以上のプロセッサと１以上のメモリを有している。プロセッサとしては、ＣＰＵ、ＭＰＵ、ＧＰＵなどが例示されうる。プロセッサは、複数のプロセッサコアを有しうる。メモリとしては、ＲＯＭやＲＡＭなどが例示されうる。ＲＯＭには、プロセッサにより実行される各種のプログラムなどが格納されうる。ＲＡＭは、プロセッサにより実行される各種のプログラムなどが格納される複数のワークエリアを有している。例えば、プロセッサは、ＲＯＭに格納されたプログラムの少なくとも一部を指定してプログラムをＲＡＭ上に展開し、ＲＡＭと協働して各種の処理を実行する。
【００１９】
操作端末２は、操作部２１を備えている。操作部２１は、医療従事者の各種入力操作を受け付ける。各種入力操作には、例えば、被検者の生体電位の測定や生体情報の分析を行うための操作、生体情報や分析結果を表示端末３に表示させるための操作等が含まれる。操作端末２は、医療従事者の操作に基づき、入力箱４から送られてくる生体情報を処理する。処理内容としては、例えば、高域フィルタ処理、低域フィルタ処理、ＡＣフィルタ処理、感度変更、平均加算処理等である。操作端末２は、処理された生体情報を表示端末３に送信する。
【００２０】
表示端末３は、例えば、デスクトップタイプのＰＣ、ノートＰＣ、タブレット端末等の電子機器である。表示端末３は、操作端末２から送信された生体情報を表示するための表示部３１を備えている。表示部３１は、例えば、液晶ディスプレイ、有機ＥＬディスプレイ等のディスプレイである。表示部３１は、波形データや測定データといった各種生体情報を表示することができる。
【００２１】
表示端末３は、操作端末２と同様のプロセッサとメモリを有している。例えば、プロセッサは、ＲＯＭに格納されたプログラムの少なくとも一部を指定してプログラムをＲＡＭ上に展開し、ＲＡＭと協働して各種の処理を実行する。表示端末３は、操作端末２又は他の検査装置から受信した生体情報を保存可能である。保存された生体情報は、例えば、検査装置１に接続される印刷機（図示せず）に送信される。
【００２２】
入力箱４は、例えば電極接続箱である。入力箱４には、検査用電極等が接続され得る。入力箱４は、接続部５を介して本体部１０に取り付けられる。接続部５としては、例えば、可動式アームである。入力箱４は、操作端末２に対して、通信可能に接続されている。
【００２３】
図２は、本発明の一実施形態に係る入力箱４を示す図である。図２に示すように、入力箱４は、筐体部４１と、スイッチ４２と、第一コネクタ４３と、第二コネクタ４４と、挿入部４５と、を備えている。
【００２４】
筐体部４１は、略直方体である。筐体部４１の四隅は円弧状の曲面を有している。筐体部４１は、例えば、樹脂製である。筐体部４１の前面には、スイッチ４２、第一コネクタ４３、第二コネクタ４４、挿入部４５が設けられている。挿入部４５は貫通孔であり、筐体部４１の後面にまで延びている。一方、スイッチ４２、第一コネクタ４３、第二コネクタ４４は、筐体部４１の後面には設けられていない。
【００２５】
第一コネクタ４３及び第二コネクタ４４は、入力箱４と電極等との接続を可能にするためのコネクタである。
【００２６】
挿入部４５は貫通孔である。挿入部４５の出入り口は楕円形状又は長円形状であることが好ましいが、この他の形状であってもよい。挿入部４５の周の長さは弾性部材６の周の長さよりも僅かに大きく、弾性部材６を挿入可能である。本実施例において、挿入部４５は、入力箱４の左上側に設けられているが、この例に限られない。挿入部４５は、入力箱４の他の位置に設けられてもよい。
【００２７】
図３は、本発明の一実施形態に係る弾性部材６を示す側面図である。図３に示すように、弾性部材６は、筒状本体部６０と、第一開口部６１と、第二開口部６２と、を備えている。弾性部材６は筒状である。弾性部材６はシリコーン等の弾性素材から成る。
【００２８】
筒状本体部６０の外径は、後ろ方向に向かうにつれて短くなっている。筒状本体部６０は周面を有しており、当該周面は周方向の全てがテーパー面である。このため、筒状本体部６０は、複数の異なる長さの内径を有している。筒状本体部６０の形状は、側方から見て、筒状本体部６０の上側の外形線６０１ａが、後ろ方向に向かうにつれて下方向に傾斜し、筒状本体部６０の下側の外形線６０１ｂが、後ろ方向に向かうにつれて上方向に傾斜しており、上下に対称な形状となっている。
【００２９】
第一開口部６１は、弾性部材６の入口側である、弾性部材６の前端に設けられている。第一開口部６１には、第一開口部６１の径方向外側に延びる第一縁部６３が形成されている。第一開口部６１の外径は、筒状本体部６０の最大外径よりも大きい。第一縁部６３は、挿入部４５に対して係止可能な係止部６３ａとして機能し得る。
【００３０】
第二開口部６２は、弾性部材６の入口とは反対側に位置する、弾性部材６の後端に設けられている。第二開口部６２には、第二開口部６２の径方向外側に延びる第二縁部６４が形成されている。第二開口部６２の外径は筒状本体部６０の最小外径よりも大きく、第一開口部６１の外径よりも小さい。第二縁部６４は、挿入部４５に対して係止可能な係止部６４ａとして機能し得る。
【００３１】
さらに、第二開口部６２には、スリット６５が形成されている。スリット６５は、第二開口部６２の略中央から、前後方向に延びている。このため、医療従事者は、第二縁部６４に対し、第二開口部６２の上下方向における内側に向かう力を加えることで、第二開口部６２を容易に縮めることができる。
尚、本実施例では、第二開口部６２にスリット６５が形成されているがこの例に限られない。第一開口部６１にスリット６５が形成されていてもよいし、第一開口部６１と、第二開口部６２の双方にスリット６５が形成されていてもよい。
【００３２】
図４は、図２におけるＡ−Ａ’断面図である。図４に示すように、挿入部４５は、第一部４６と、第二部４７と、第三部４８と、を有している。第一部４６は、挿入部４５の入口側に位置する挿入部４５の内周面である。弾性部材６が挿入部４５に挿入されている状態において、第一部４６は、第一縁部６３より前方に位置する。第二部４７は、第一縁部６３より後方で、かつ第二縁部６４より前方に位置する。第三部４８は、第二縁部６４の前面より後方に位置する。第一部４６、第二部４７、第三部４８は連続している。第一部４６の後端部分の内径は、第二部４７の前端の内径より大きい。このため、第一部４６の後端には、第一載置部４６０（４６０ａ、４６０ｂ）が形成されている。また、第三部４８の前端の内径は、第二部４７の後端の内径より大きい。このため、第三部４８の前端には、第二載置部４８０（４８０ａ、４８０ｂ）が形成されている。
【００３３】
第二部４７の内径は、後ろ方向に向かうにつれて短くなっている。第二部４７は、周方向の全てがテーパー面である。第二部４７の内径の縮小率は、筒状本体部６０の外径の縮小率と略同じである。第二部４７の各入口端部４７０（４７０ａ、４７０ｂ）を結ぶ内径ｄ１は、第二部４７の各後端部４７１（４７１ａ、４７１ｂ）を結ぶ内径ｄ３よりも大きい。また、弾性部材６は厚みを有している。そのため、前後方向において内径ｄ１と対応する、弾性部材６の内面にある各前方部６６（６６ａ、６６ｂ）を結ぶ内径ｄ２は、内径ｄ１よりも小さい。
【００３４】
本実施例においては、第二縁部６４が、第三部４８内にある。第二縁部６４は、それぞれ、第二載置部４８０によって係止されている。このため、弾性部材６に対し、前方向への力が加わっても、弾性部材６は挿入部４５から外れにくい。
【００３５】
弾性部材６は縮径部６７（６７ａ、６７ｂ）を有している。各縮径部６７（６７ａ、６７ｂ）を結ぶ内径ｄ４は、内径ｄ２よりも短い。
【００３６】
第一載置部４６０の各端部４６１（４６１ａ、４６１ｂ）間の長さは、内径ｄ１の長さよりも大きい。第一縁部６３の各端部６３０（６３０ａ、６３０ｂ）間の長さは、第一載置部４６０の各端部４６１（４６１ａ、４６１ｂ）間の長さと略等しい。また、第一部４６の前後方向の長さは、第一縁部６３の前後方向の長さと略等しい。このため、弾性部材６を挿入部４５に挿入させると、第一縁部６３は、第一載置部４６０と接し、かつ第一部４６内に収まる。医療従事者は、第一縁部６３が第一載置部４６０に接するように、弾性部材６を挿入部４５に挿入させることで、弾性部材６を、挿入部４５の適切な位置に留めることができる。弾性部材６が挿入部４５に挿入されると、第二縁部６４は、第二載置部４８０に接するように配置される。
【００３７】
図５は、針電極７に装着されたキャップ８を弾性部材６が保持している状態における、図２のＡ−Ａ’断面図である。キャップ８は針電極７を保護するためのキャップである。医療従事者は、キャップ８を、針電極７に被せて使用する。図５に示すように、針電極７に装着されたキャップ８は、前方から後ろ方向に向かって弾性部材６に挿入される。本実施例において、キャップ８の外径ｄ５は、内径ｄ２より小さく、内径ｄ４より大きい。
【００３８】
上述したように、弾性部材６の筒状本体部６０の径は、後ろ方向に向かうにつれて短くなっている。このため、キャップ８を後ろ方向に向かって弾性部材６に挿入していくと、キャップ８の外径ｄ５よりも僅かに内径が小さい位置Ｐで、キャップ８は保持される。弾性部材６は、シリコーン等の弾性素材で構成されているため、キャップ８が樹脂材等の材質で構成されていても、キャップ８を損傷させることなく、キャップ８を弾性部材６に挿入させることができる。
【００３９】
キャップ８が弾性部材６に挿入されると、位置Ｐ付近において、弾性部材６が変形する。このため、位置Ｐ付近において、弾性部材６の弾性復元力により、キャップ８は、しっかりと保持される。また、キャップ８を弾性部材６から取り出すときも、弾性部材６は弾性素材で構成されているため、医療従事者は、容易にキャップ８を弾性部材６から取り出すことができる。
【００４０】
上述したように、医療従事者は、弾性部材６の第二縁部６４に対し、第二開口部６２の内側に向かう力を加えることで、第二開口部６２を容易に縮めることができる。このため、医療従事者は、弾性部材６を挿入部４５から取り出したいときは、例えば、ピンセットのような器具を第三部４８から挿入して第二縁部６４をつまみ、弾性部材６に対して前方向の力を加えることで、弾性部材６を挿入部４５から取り出すことができる（以下、第一方法という。）。
【００４１】
医療従事者は、ピンセットのような器具を用いて、第一縁部６３をつまみ、弾性部材６に対して後方向の力を加えることで、弾性部材６を取り出すこともできる（以下、第二方法という。）。しかし、本実施例においては、第二開口部６２に、スリット６５が形成されているため、第一方法を用いて弾性部材６を取り出す方が第二方法を用いる場合に比べて、容易に弾性部材６を挿入部４５から取り出すことができる。
【００４２】
医療機器は常に清潔な状態に保っておく必要がある。このため、医療従事者は、定期的に、弾性部材６を洗浄する必要がある。本実施例に係る弾性部材６は、挿入部４５からキャップ８を取り出すことが容易なので、医療従事者は、必要に応じて、弾性部材６を挿入部４５から取りだして清掃することができる。
【００４３】
上記構成に係る検査装置１及び入力箱４においては、針電極７に取り付けられるキャップ８を保持可能な弾性部材６を挿入可能な挿入部４５が設けられている。また、筒状の弾性部材６には、入口側の内径よりも小さい縮径部６７が形成されているため、当該キャップ８を保持することができる。
このように、上記構成によれば、電極用のキャップ８の形状に拠らず、電極用のキャップ８を保持することが可能である。
【００４４】
また、上記構成に係る検査装置１及び入力箱４において、挿入部４５は貫通孔である。医療従事者は、挿入部４５の片側の開口部から弾性部材６を引き出すことで、挿入部４５から弾性部材６を取り出すことができる。また、医療従事者は、例えば、挿入部４５の前側の開口部から弾性部材６を押し、挿入部４５の後側の開口部から弾性部材６を押し出すこともできるようになる。このため、弾性部材６の取り出しがより容易になる。
このように、上記構成に係る検査装置１及び入力箱４によれば、弾性部材６の取り出しがより容易になる。
【００４５】
また、上記構成に係る検査装置１、弾性部材６及び入力箱４によれば、弾性部材６は、針電極７に取り付けられるキャップ８を強くかつバランスよく保持することができる。
【００４６】
また、上記構成に係る検査装置１、弾性部材６及び入力箱４によれば、弾性部材６には、挿入部４５に対して係止可能な係止部６３ａ、６４ａが設けられているため、弾性部材６は、挿入部４５に挿入された状態において、検査装置１の挿入部４５から外れにくい。
【００４７】
また、上記構成に係る検査装置１、弾性部材６及び入力箱４によれば、弾性部材６の入口には第一縁部６３が形成されているため、医療従事者は、弾性部材６を挿入部４５の適切な位置に留めることができる。
【００４８】
また、上記構成に係る検査装置１及び入力箱４によれば、挿入部４５の端部に形成された第一載置部４６０に弾性部材６の第一縁部６３を載置することができる。このため、医療従事者は、弾性部材６を挿入部４５の適切な位置に留めることができる。
【００４９】
また、上記構成に係る検査装置１、弾性部材６及び入力箱４によれば、弾性部材６における入口とは反対の端部には、第二縁部６４が形成されている。針電極７を弾性部材６から取り出す際、弾性部材６に対して、入口側に引っ張る力が加わるが、第二縁部は当該力の影響を受けにくい。このため、弾性部材６が挿入部４５から外れにくい。
【００５０】
また、上記構成に係る検査装置１、弾性部材６及び入力箱４によれば、弾性部材６の入口及び入口とは反対の端部の少なくとも一つにはスリット６５があるため、挿入部から弾性部材を取り出す際、スリット６５の周辺に力を加えることで容易に弾性部材６を取り出すことができる。
このように、上記構成に係る検査装置１、弾性部材６及び入力箱４においては、弾性部材６を取り出すことが容易である。このため、医療従事者は、必要に応じて、弾性部材６を取りだして清掃することが容易になる。
【００５１】
本実施例においては、キャップ８が装着される電極の例として、針電極７を用いて説明したが、この例に限られない。キャップ８が装着される電極は針電極以外の電極であってもよい。針電極以外の電極としては、例えば皿電極等である。
また、本実施例におけるキャップ８は断面視で直線形状であるが、断面視で非直線形状のキャップであってもよい。さらに、キャップ８の形状は、筒状のものであってもよいし、角状のものであってもよいし、星形等の多角形の形状であってもよい。
【００５２】
本実施例において、第二部４７の内径の縮小率は、筒状本体部６０の外径の縮小率と略同じ縮小率であるが、この例に限られない。第二部４７の内径の縮小率は、筒状本体部６０の外径の縮小率よりも小さければよい。
【００５３】
本実施例において、挿入部４５は貫通孔であるが、挿入部４５は貫通孔に限られない。挿入部４５の後面は閉じられていてもよい。この場合であっても、医療従事者は、ピンセットのような器具を用いて、弾性部材６の第一縁部６３をつまみ、弾性部材６に対して前方向の力を加えることで、弾性部材６を挿入部４５の前方から取り出すことができる
【００５４】
本実施例では、入力箱４に針電極用の挿入部４５が存在する状態を説明したが、これに限られない。本体部１０と入力箱４が一体化された構成において、キャップ８を保持するための挿入部４５が設けられている構成でも構わない。
【００５５】
本実施例では、図３に示したように、弾性部材６の筒状本体部６０の外径は、後ろ方向に向かうにつれて徐々に小さくなっているが、これに限られない。弾性部材６の筒状本体部６０の外径は、例えば、弾性部材６の前方から所定の位置までは、後ろ方向に向かうにつれて大きくなり、当該所定の位置から縮径部６７までは、後ろ方向に向かうにつれて小さくなるように構成されていてもよい。
【００５６】
また、弾性部材６の筒状本体部６０の形状は、側方から見て、上下に対称な形状であるが、このような線対称の形状に限られない。例えば、筒状本体部６０の形状は、側方から見て、上側の外形線が後ろ方向に向かうにつれて下方向に傾斜し、下側の外形線が前後方向に沿って平行である形状であってもよい。また、筒状本体部６０の形状は、側方から見て、下側の外形線が後ろ方向に向かうにつれて上方向に傾斜し、上側の外形線が前後方向に沿って平行である形状であってもよい。また、筒状本体部６０を側方から見たときの外形線は、直線に限られず、部分的又は全体的に、湾曲していてもよい。
【００５７】
本実施例では、挿入部４５の第一部４６に第一載置部４６０を設ける例を説明したが、この例に限られない。挿入部４５の第一部４６に第一載置部４６０を設けず、弾性部材６の第一縁部６３が入力箱４の前面に当接した状態で、弾性部材６が入力箱４に固定される構成であってもよい。
【００５８】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００５９】
１：検査装置、２：操作端末、３：表示端末、４：入力箱、５：接続部、６：弾性部材、７：針電極、８：キャップ、１０：本体部、２１：操作部、３１：表示部、４１：筐体部、４２：スイッチ、４３：第一コネクタ、４４：第二コネクタ、４５：挿入部、４６：第一部、４７：第二部、４８：第三部、６０：筒状本体部、６１：第一開口部、６２：第二開口部、６３：第一縁部、６４：第二縁部、６５：スリット、６７：縮径部、４６０：第一載置部、４８０：第二載置部
【図１】
2019187697.tif 000003
【図２】
2019187697.tif 000004
【図３】
2019187697.tif 000005
【図４】
2019187697.tif 000006
【図５】
2019187697.tif 000007